(57)【特許請求の範囲】
【請求項１】
光ファイバ接続部及び光ファイバ余長分を収容し、箱体に収納した状態から前方へ引き出すことが可能な光配線ユニットであって、
光ファイバ接続部及び光ファイバ余長分を収容する平坦な底面を有するケースの引き出し方向である前面側の左右側部の何れか一端に、前記箱体に固定するための蝶番を備え、前記ケースの底面を前記蝶番の回動軸を中心とする略扇形に形成すると共に、前面側他端から前記一端側の側面後部に向けて略円弧状の側面を形成し、
前記ケースの蝶番近傍側部に光ファイバを前記ケース内に導入する導入クランプ及び前記ケースから導出する導出クランプを配置し、
前記ケースの前面側他端を前方に引き出し操作することで、前記回動軸を中心に前記ケースが回動して前記箱体から引き出しでき、
光ファイバ同士を光コネクタにより接続するための複数の光アダプタを、前記ケースの円弧状の側面に沿うように配設すると共に、個々の前記光アダプタの向きを、接続する光コネクタが前記ケースの前記回動軸から略放射状に配向する方向とし、前記光アダプタの列と前記回動軸の間の前記ケース内空間を光ファイバ余長収容部としたことを特徴とする光配線ユニット。
【請求項２】
光ファイバの融着接続部を収納する融着トレイが光アダプタ列とケースの回動軸の間に設置され、前記融着トレイの周囲を光ファイバ余長収容部とした請求項１記載の光配線ユニット。
【発明の詳細な説明】
【技術分野】
【０００１】
本発明は、光ファイバ接続部や光ファイバ余長分を収容する光配線ユニットに関し、特にラック等に収納できメンテナンスの際には引き出して作業を行うことができる光配線ユニットに関する。
【背景技術】
【０００２】
光ファイバ接続部や光ファイバ余長分を収容する光配線ユニットのうち、ラック等の箱体に収納され、引き出してメンテナンス等を行うボード状の光配線ユニットがある。例えば特許文献１では、ラックの前面寄りのユニット側部に光ファイバの入出口を設けると共に、ユニットの中央に光ファイバを左右方向から接続する光アダプタを前後方向に一列に並べて配置している。
【特許文献１】特開２００５−５５７４８号公報
【発明の開示】
【発明が解決しようとする課題】
【０００３】
上記特許文献１では、光アダプタ等を上述したように配置することで、光配線ユニット内での光ファイバの配設効率の向上が図られた。しかしながら、上記特許文献１の構成は、ユニットの引き出し操作に合わせて光ファイバ入出口も前後に移動するため、それを可能とするためにユニット前方で引き込んだ光ファイバを、一旦後方に引き回す等の前処理を行って対処していた。詳しくは、引き込んだ光ファイバを例えばＳ字状、或いはＵ字状に折り曲げて配設した後、光アダプタ等に接続することでその移動を可能としていた。
このように、従来の光配線ユニットは、ユニット内にそのための光ファイバ収容スペースが必要であったため、スペースの利用効率が十分であるとは言えなかった。また、このスペースを狭くすると、引き込んだ光ファイバの折り曲げ部に加わるストレスが大きくなるため狭くするのは難しかった。
【０００４】
そこで、本発明はこのような問題点に鑑み、引き出し可能な光配線ユニットであっても、その移動操作のための光ファイバ余長分を必要としない光配線ユニットを提供することを目的とする。
【課題を解決するための手段】
【０００５】
上記課題を解決する為に、請求項１の発明は、光ファイバ接続部及び光ファイバ余長分を収容し、箱体に収納した状態から前方へ引き出すことが可能な光配線ユニットであって、光ファイバ接続部及び光ファイバ余長分を収容する平坦な底面を有するケースの引き出し方向である前面側の左右側部の何れか一端に、前記箱体に固定するための蝶番を備え、前記ケースの底面を前記蝶番の回動軸を中心とする略扇形に形成すると共に、前面側他端から前記一端側の側面後部に向けて略円弧状の側面を形成し、前記ケースの蝶番近傍側部に光ファイバを前記ケース内に導入する導入クランプ及び前記ケースから導出する導出クランプを配置し、前記ケースの前面側他端を前方に引き出し操作することで、前記回動軸を中心に前記ケースが回動して前記箱体から引き出しでき、光ファイバ同士を光コネクタにより接続するための複数の光アダプタを、前記ケースの円弧状の側面に沿うように配設すると共に、個々の前記光アダプタの向きを、接続する光コネクタが前記ケースの前記回動軸から略放射状に配向する方向とし、前記光アダプタの列と前記回動軸の間の前記ケース内空間を光ファイバ余長収容部としたことを特徴とする。
この構成によれば、光配線ユニットは回動操作により引き出しでき、その際移動量の少ない回動軸付近に光ファイバの導入クランプ及び導出クランプから成る入出口を配置したので、ユニット引出操作で光ファイバの移動量が小さく、引き出しによる移動を考慮して光ファイバ余長を入出口付近に配置しておく必要が無くなる。よって、そのための光ファイバ収容スペースも必要無く、光配線ユニット内スペースの利用効率を上げることができ、小型化を図ることができる。更に、光ファイバの入出線を１箇所にまとめられることで配線作業がし易いし、入出口の移動量及び光ファイバの曲がり量が小さい為、光ファイバへ加わるストレスも軽減できる。
【０００６】
また、光アダプタをケースの円弧状側面に沿って円弧状に配置し、且つ光コネクタ接続部を放射状に配置することで、導入した光ケーブル側の光ファイバを円弧状の光アダプタ列の内側に配置し、外側に導出される光コード側の光ファイバを配置でき、光ファイバを効率良く配設できる。そして、光アダプタ列の内側に光ファイバ余長収容部を設けることができ、光ファイバを効率よく配設できる。
【０００７】
請求項２の発明は、請求項１に記載の構成において、光ファイバの融着接続部を収納する融着トレイが光アダプタ列とケースの回動軸の間に設置され、前記融着トレイの周囲を光ファイバ余長収容部としたことを特徴とする。
この構成によれば、融着トレイを光アダプタ列とケースの回動軸の間に設置することで、光ファイバ接続部、光ファイバ融着部、余長収納部を省スペースで配置でき、ケース内空間を効率良く使用でき、光配線ユニットの小型化を進めることができる。
【発明の効果】
【０００８】
本発明によれば、光配線ユニットは回動操作により引き出しでき、その際移動することのない回動軸付近に光ファイバの入出口を配置したので、ユニット引出操作によるユニット入出口付近の光ファイバの移動量が小さく、引き出しによる移動を考慮して光ファイバ余長を入出口付近に配置しておく必要が無くなる。よって、そのための光ファイバ収容スペースも必要無く、光配線ユニット内スペースの利用効率を上げることができ、小型化を図ることができる。更に、光ファイバの入出線を１箇所にまとめられることで配線作業がし易いし、入出口の移動量及び光ファイバの曲がり量が小さい為、光ファイバへ加わるストレスも軽減できる。
【発明を実施するための最良の形態】
【０００９】
以下、本発明を具体化した実施の形態を、図面に基づいて詳細に説明する。図１は本発明に係る光配線ユニットの一例を示し、（ａ）は平面図、（ｂ）は正面図、（ｃ）は左側面図である。図１において、１はケース、２は光ファイバ同士をコネクタを用いて接続するための光アダプタ装置、３は光ファイバの融着接続部を収納する融着トレイ、４は光ファイバを保持するクランプ装置、５はケース１内に導入する光ファイバ（光ケーブル）を案内する導入クランプ、６はケース１から導出する光ファイバ（光コード）を案内する導出クランプである。尚、１０はケース１内に配設された光ファイバ、１１は光コネクタを示している。
【００１０】
ケース１は、扇形状の平坦な底面１ａを有し、前面には前面板１ｂ、左側面には左側面板１ｃを備え、前面右端から左側面の後端に至る円弧状側部には複数の側板１ｄ，１ｄ・・が設けられている。これらは鋼板を折り曲げて形成され、底面１ａから連続形成されている。そして、前面板１ｂはケース１の前面を閉塞する一様な長方形を成し、左右端部にはラック等の箱体への組み付けを可能とするラック金具８が設けられている。但し、左側のラック金具８は蝶番９を使用して形成され、前面板１ｂ左端部がケース１を回動させる回動軸Ｍを形成している。
【００１１】
光アダプタ装置２は、アダプタホルダ１３に複数の光アダプタ１４が組み付けられて形成され、１つの光アダプタ装置２で複数の光ファイバ１０の接続が可能となっている。そして、４個の光アダプタ装置２，２・・が、ケース１の円弧状側部から一定の距離を設けて同様に円弧状に配設、即ち各アダプタ装置２が回動軸Ｍを中心とした円弧を描くように略同一距離に配設され、ボルト１５によりアダプタホルダ１３をケース１の底面１ａに固定して光アダプタ装置２は固定されている。このように配置することで、接続した光コネクタ１１は回動軸Ｍを中心に放射状に配向して設置される。
【００１２】
導入クランプ５と導出クランプ６は、左側面の蝶番９の近傍に、前方から導出クランプ６、導入クランプ５の順に配置されている。そして、導入クランプ５は左側面板１ｃに組み付けられ、左側面板１ｃから突出した筒状のケーブル保持部５ａを有している。このケーブル保持部５ａは軟質樹脂で形成され、変形させて導入方向を容易に変更でき、導入される複数の光ファイバ（光ケーブル）にストレスが加わらないよう形成されている。
【００１３】
一方、導出クランプ６は、蝶番９に隣接する側面から僅かに奥まった位置の底面１ａ上に設置されている。そして、複数の光ファイバ（光コード）１０を保持するリング状保持部６ａを備え、導入クランプ５と同一の方向、即ち側方に光ファイバ１０を送出するよう形成されている。また、この導出クランプ６の前方に当たる側部は開放されると共に、底面１ａの端部は切り欠かれ、導出した光ファイバ１０が側方に加えて下方にも引き出し可能に形成されている。
【００１４】
また、箱状に形成された融着トレイ３は、光アダプタ装置２と回動軸Ｍの間となる底面１ａの略中央に設置され、この融着トレイ３の左右となる左側面板１ｃ側と前面板１ｂ側にクランプ装置４が夫々設置されている。このように配置することで、融着トレイ周囲（光ファイバ余長分収容空間）に巻回した光ファイバ１０は良好に保持される。
【００１５】
ケース１の扇状周縁部と光アダプタ装置２との間の空間は、光アダプタ装置２に接続した光ファイバ（光コード）１０を導出クランプ６へ導く光ファイバ配設空間であり、適宜位置にクランプ装置４が配設されている。
【００１６】
以上のようにケース１に組み付けられた各部材に対して、光ファイバ１０は図１の想像線で示すように配設される。導入された光ファイバ（光ケーブル）１０は、必要に応じて光ファイバが融着接続されて延設され、融着接続部が融着トレイ３に収納される。融着トレイ３から引き出された光ファイバ１０は、その余長分が融着トレイ３の周囲に巻回されてクランプ装置４に保持される。その後、先端に設けられた光コネクタ１１が光アダプタ装置２の何れかの光アダプタ１４に、内側である回動軸Ｍ側から接続される。
【００１７】
そして、対応する外側の光アダプタ１４に、ケース１外部へ引き出すための光ファイバ（光コード）１０に設けられた光コネクタ１１が接続される。この光ファイバ１０は、扇状周縁部の光ファイバ配設空間に設置されたクランプ装置４に適宜保持されて前面板１ｂ背部に配設される。その後、必要に応じて融着トレイ３の周囲に巻回された後、導出クランプ６に挿通され、ケース１外部に送出される。
【００１８】
このように、光アダプタがケースの円弧状外形に沿って同様に円弧状に配置され、且つ光コネクタ接続部が放射状に配置されるので、導入した光ケーブル側の光ファイバを円弧状の光アダプタ列の内側に配置し、外側に導出される光コード側の光ファイバを配置でき、光ファイバを効率良く配設できる。そして、光アダプタ列の内側に光ファイバ余長収容部を設けることができ、光ファイバを効率よく配設できる。
また、融着トレイを光アダプタ列とケースの回動軸の間に設置することで、光ファイバ接続部、光ファイバ融着部、余長収納部を省スペースで配置でき、ケース内空間を効率良く使用でき、光配線ユニットの小型化を進めることができる。
【００１９】
図２は、上記構成の光配線ユニットをラックに組み付けた状態を示す説明図であり、１６はラック、１７は組み付けた光配線ユニットを示し、略中央部に収納した光配線ユニット１７ａは引き出した状態を示している。この図２に示すように、前面左端部を中心に回動するので、右端部の固定ネジを外して引き出し操作すれば、光配線ユニット１７をラック前方に引き出すことができる。
このように、光配線ユニットは回動操作により引き出しでき、その際移動量の少ない回動軸付近に光ファイバの入出口を配置したので、ユニット引出操作でユニット入出口付近の光ファイバの移動量が小さく、引き出しによる移動を考慮して光ファイバ余長を入出口付近に配置しておく必要が無くなる。よって、そのための光ファイバ収容スペースも必要無く、光配線ユニット内スペースの利用効率を上げることができ、小型化を図ることができる。
更に、光ファイバの入出線を１箇所にまとめられることで配線作業がし易いし、入出口の移動量及び光ファイバの曲がり量が小さい為、光ファイバへ加わるストレスも軽減できる。
【００２０】
また、図３は壁面に取り付ける壁面ボックスに上記光配線ユニットを収納した状態を示している。図３において（ａ）は壁面ボックスの正面図、（ｂ）は右側面図、（ｃ）は底面図である。このうち、（ａ），（ｂ）は透視図であり、収納した光配線ユニット１７を記載している。
壁面ボックス１９は、前面扉２０、側面扉２１が設けられ、前面及び右側面が開閉可能となっている。そして、光配線ユニット１７は前面板１ｂを右に向けて縦配置され、前面板１ｂの上下端部がネジ止めされて収容固定されている。
【００２１】
このように、光配線ユニットは縦配置して設置しても良く、側面扉２１を開放して前面板１ｂを固定している上端ネジ止め部を外すことで、下端の蝶番９部を中心に光配線ユニットを回動して引き出すことができる。また、この壁面ボックスは前面扉２０を開放すれば、光配線ユニットを引き出すこと無く作業することも可能となっている。
【００２２】
尚、上記実施形態の光配線ユニットは、前面板１ｂ左端の蝶番部をネジ止めするのに加えて、前面板１ｂの右端もネジ止めしてラックフレーム等に固定しているが、蝶番のない右端部はネジ止め固定する構造ではなく、簡単な係止構造としても良い。また、前面板左端部を回動部としているが、勿論右端部を回動部としても良い。
更に、光アダプタ装置２は、複数の光アダプタ１４を１つのアダプタホルダ１３に組み付けて平面状に形成し、光アダプタ装置２毎に回動軸Ｍの方向を向かせて設置されているが、光アダプタホルダ１３をケース１の扇形状に合わせた曲率を設けて形成し、個々の光アダプタ１４を回動軸Ｍに配向させても良い。
【図面の簡単な説明】
【００２３】
【図１】本発明に係る光配線ユニットの実施形態の一例を示し、（ａ）は平面図、（ｂ）は正面図、（ｃ）は左側面図である。
【図２】図１の光配線ユニットをラックに取り付けた状態を示す斜視説明図である。
【図３】図１の光配線ユニットを壁面ボックスに収納した状態を示す説明図であり、（ａ）は正面図、（ｂ）は右側面図、（ｃ）は底面図である。
【符号の説明】
【００２４】
１・・ケース、２・・光アダプタ装置、３・・融着トレイ、４・・クランプ装置、５・・導入クランプ（入出口）、６・・導出クランプ（入出口）、９・・蝶番、１０・・光ファイバ、１１・・光コネクタ、１４・・光アダプタ、１６・・ラック（箱体）、１９・・壁面ボックス（箱体）。
【図１】
0004728356.tif 000002
【図２】
0004728356.tif 000003
【図３】
0004728356.tif 000004